(57)【要約】【課題】  過電流を遮断して保護することができ、また構成が簡単で構成部品点数も必要最小限でよく、組立性、コスト面で優れているスピーカ装置を得る。【解決手段】  スピーカのボイスコイル１０に直列に接続され過電流が入力したときに増大する抵抗値によって遮断するサーミスタ１６を、ボイスコイルボビン１１にプリント配線して設ける。また、サーミスタと並列に接続される抵抗部材１７を、さらにボイスコイルボビンにプリント配線することにより付設する。【選択図】        図１
2005109780.tif 000002
【特許請求の範囲】
【請求項１】
スピーカのボイスコイルに直列に接続され過電流が入力したときに増大する抵抗値によって遮断するサーミスタを、ボイスコイルボビンにプリント配線して設けたことを特徴とするスピーカ装置。
【請求項２】
請求項１記載のスピーカ装置において、
前記サーミスタと並列に接続される抵抗部材を、さらに設けたことを特徴とするスピーカ装置。
【請求項３】
請求項２記載のスピーカ装置において、
前記抵抗部材を、前記ボイスコイルボビンにプリント配線することにより付設したことを特徴とするスピーカ装置。
【発明の詳細な説明】
【技術分野】
【０００１】
本発明は、各種音響機器に用いられるスピーカ装置に関し、特に過電流が入力したときのスピーカ用保護回路を備えてなるスピーカ装置に関する。
【背景技術】
【０００２】
従来から、スピーカ装置において、過大入力、特にボイスコイルに過電流が流れることによる不具合を防止することが求められている。すなわち、過電流に対する保護回路がないと、ボイスコイルは、過電流が入力された場合、発熱から発火による銅線の炭化、あるいはボイスコイル線の断線に至るおそれがある。このため、このような過電流が流れることを遮断するための保護回路を、ボイスコイル回路に付設することが従来から行われている（例えば、特許文献１、特許文献２参照）。
【０００３】
【特許文献１】特開平８−２９４１９６号公報
【特許文献２】特開平１１−０２７７８５号公報
【発明の開示】
【発明が解決しようとする課題】
【０００４】
しかしながら、上述した従来のスピーカ装置では、保護回路を構成するサーミスタ、さらに該サーミスタで遮断された入力信号を完全に遮断しないようにするチップ抵抗等を設けるにあたっての構造が複雑で、また構成部品点数が多く、組み立てが面倒かつ煩雑となり、コスト高を招くなどの不具合を避けられないものであった。
【０００５】
すなわち、従来のボイスコイル１は、図５に示すように、ボイスコイルボビン２に押さえ紙３を巻き付けし、それにボイスコイル線４を巻回することにより形成されている。なお、４ａ，４ｂはボイスコイル１の巻回部分から引き出された引き出し端である。一方、スピーカ装置において、このようなボイスコイル１に近接して設けられるプリント基板（図示せず）上には、上記のサーミスタやチップ抵抗等からなる保護回路が形成され、上記のボイスコイル線４と適宜結線されて構成されていた。
【０００６】
したがって、このような従来構造によるスピーカ装置では、全体の構成部品点数が多くなり、構造が複雑で組み立ても面倒かつ煩雑となり、コスト高を避けられないものであり、このような不具合を一掃できる何らかの対策を講じることが望まれている。
特に、上述した組み立て性等の問題は、サーミスタと共に、それに並列に接続してチップ抵抗を設ける場合に著しいものであった。
【０００７】
本発明はこのような事情に鑑みてなされたものであり、過電流が流れたときにこれを遮断してスピーカ装置を保護するができるとともに、構成が簡単で、構成部品点数も必要最小限でよく、組立性、コスト面で優れているスピーカ装置を得ることを目的とする。
【課題を解決するための手段】
【０００８】
このような目的に応えるために本発明に係るスピーカ装置は、スピーカのボイスコイルに直列に接続され過電流が入力したときに増大する抵抗値によって遮断するサーミスタを、ボイスコイルボビンにプリント配線して設けたことを最も主要な特徴とする。
【０００９】
また、本発明に係るスピーカ装置は、請求項１記載のスピーカ装置をより具体的に限定したものであり、前記サーミスタと並列に接続される抵抗部材を、さらに設けたことを特徴とする。
さらに、本発明に係るスピーカ装置は、請求項２記載のスピーカ装置を技術的に限定したものであり、前記抵抗部材を、前記ボイスコイルボビンにプリント配線することにより付設したことを特徴とする。
【発明の効果】
【００１０】
以上説明したように本発明に係るスピーカ装置によれば、過電流が流れたときにこれを遮断してスピーカ装置を保護することができる。また、過電流を遮断すると同時に、サーミスタの自動復帰動作により、遮断後もサーミスタ温度が低下すれば正常動作に復帰することができる。
【００１１】
また、本発明に係るスピーカ装置によれば、過電流を遮断する保護回路を、ボイスコイルボビンに組み込むことにより、通常のボイスコイルとして扱えるため、新たに部品などを追加する必要がなく、全体の構成が簡単で、構成部品点数も必要最小限でよく、組立性に優れ、しかも低コストで形成できる等の種々優れた効果を奏する。
【００１２】
さらに、本発明に係るスピーカ装置によれば、抵抗部材をサーミスタに並列接続して設けているから、サーミスタで過電流を遮断したときに、それまで出力されていたオーディオ信号が突然出力されなくなって、使用者が困惑し機器の故障等と誤解してしまう等の不具合をなくすことができる。これは、サーミスタが作動して信号入力が遮断されても、抵抗部材により所定の信号入力を確保し、オーディオ信号出力が完全に遮断されてしまわないようにし、結果として使用者の困惑を防止できるからである。
【発明を実施するための最良の形態】
【００１３】
図１ないし図４は本発明に係るスピーカ装置の一つの実施の形態を示すものであり、これらの図において、符号１０は、スピーカ装置に用いられるボイスコイルであり、このボイスコイル１０は、図１、図２に示すように、ポリイミド等の樹脂シートをほぼ円筒状に巻回することにより形成されるボイスコイルボビン１１を備えている。
【００１４】
ここで、このボイスコイルボビン１１を形成する樹脂シート上には、図２、図３に示すように、３つの接続端子１２ａ，１２ｂ；１３がプリント配線技術で形成されるとともに、接続端子１２ａ，１２ｂ間には、ボイスコイル線１４に過電流が流れることを遮断するための保護回路１５が形成されている。この保護回路１５は、図４に示すように、スピーカ装置のボイスコイル１０に直列に接続され過電流が入力したときに増大する抵抗値によって遮断するサーミスタ１６を備えている。このサーミスタ１６は、ポリマー系ＰＴＣなどからなり、ボイスコイルボビン１１上にプリント配線することで設けられている。
【００１５】
また、前記保護回路１５は、サーミスタ１６と並列に接続される抵抗部材１７を備えており、この抵抗部材１７は、前記サーミスタ１６と同様に、ボイスコイルボビン１１にプリント配線することにより付設されている。ここで、このようなサーミスタ１６と抵抗部材１７を設けた保護回路１５の形成部分や接続端子１２ａ，１２ｂ，１３は、それぞれの結線作業が終了した後、押さえ紙等を巻きつけることで固定するようになっている。
【００１６】
なお、前記ボイスコイル線１４は、ボイスコイルボビン１１の外周部に所定巻き数だけ巻回され、その両端は、前記接続端子１２ａ，１３に接続されている。また、１８ａ，１８ｂは前記接続端子１２ｂ，１３に接続されたリード線である。
【００１７】
以上のような構成によれば、過電流が流れたときには、サーミスタ１６が抵抗値を増大することによりその流れを遮断してスピーカ装置を保護することができる。また、過電流を遮断した後は、サーミスタ１６の自動復帰動作により、サーミスタ１６の温度が低下すれば抵抗値が低下し、電流の流れを許容する正常動作に復帰することができる。
【００１８】
また、上述した構成によれば、過電流を遮断する保護回路１５を、ボイスコイルボビン１１にプリント配線することで組み込んだことにより、通常のボイスコイル１０として扱えるため、新たに部品などを追加する必要がない。したがって、スピーカ装置全体での構成が簡単で、構成部品点数も必要最小限でよく、組立性に優れ、しかも低コストで形成することができる。
【００１９】
さらに、上述した構成では、抵抗部材１７をサーミスタ１６に並列接続して設けることにより、サーミスタ１６のみを設けることによる不具合を解消することができる。すなわち、サーミスタ１６のみを設けた場合には、過電流を遮断したときに、それまで出力されていたオーディオ信号が突然出力されなくなってしまい、使用者がこの状態に困惑し、機器の故障等と誤解することなどの不具合を生じる。これに対して抵抗手段１７を付設すると、サーミスタ１６が作動して信号入力が遮断されても、抵抗部材１７により所定の信号入力を確保し、オーディオ信号出力が完全に遮断されてしまわないようにすることができるから、結果として使用者の困惑を防止できることになる。
【００２０】
なお、本発明は上述した実施の形態で説明した構造には限定されず、各部の形状、構造等を適宜変形、変更し得ることはいうまでもない。
たとえば上述した実施の形態では、抵抗部材１７を、前記ボイスコイルボビン１１にプリント配線することにより付設しているが、本発明はこれに限定されない。要は、抵抗部材１７が、サーミスタ１６と並列に接続された状態で設けられておればよく、適宜の位置に配設することは自由である。
【００２１】
また、本発明に係るスピーカ装置においてのボイスコイルボビン１１は、ポリイミド系の樹脂材で形成したボビン用の樹脂シートによるものに限らず、適宜の材料で形成したボビンであってもよい。
【図面の簡単な説明】
【００２２】
【図１】本発明に係るスピーカ装置の一実施の形態を示し、ボイスコイル全体の概略構成を示す斜視図である。
【図２】本発明に係るスピーカ装置において、ボイスコイルボビンを示す概略斜視図である。
【図３】図２のボイスコイルボビンの展開図である。
【図４】本発明に係るスピーカ装置において、ボイスコイルの回路図である。
【図５】従来のスピーカ装置におけるボイスコイルを示す概略斜視図である。
【符号の説明】
【００２３】
１０…ボイスコイル、１１…ボイスコイルボビン、１２ａ，１２ｂ，１３…接続端子、１４…ボイスコイル線、１５…保護回路、１６…サーミスタ、１７…抵抗部材、１８ａ，１８ｂ…リード線。
【図１】
2005109780.tif 000003
【図２】
2005109780.tif 000004
【図３】
2005109780.tif 000005
【図４】
2005109780.tif 000006
【図５】
2005109780.tif 000007